(57)【要約】  屋根被覆体またはファサード被覆体は、うろこ状に配置された、プレート形状の構成部材（１）からなり、その場合に各構成部材（１）は少なくとも１つのプレート部分（２）、フレームおよび少なくとも１つの保持部材（６）からなる。各構成部材（１）は、少なくとも１つの保持部材（６）によって、ほぼ水平に配置された支持部材（２７）に固定されている。各保持部材（６）は、それぞれの構成部材（１）に、構成部材（１）の下方の、ほぼ水平に配向された端縁（５）に隣接して配置されており、かつ保持部材（６）の、支持部材（２７）と接触する箇所（２０）は、構成部材（１）の上方の端縁（１１）よりも、この下方の端縁（５）の近くに位置している。フレーム（３）によって各構成部材は、エッジの回りを機械的な損傷から保護される。保持部材（６）によって、主に構成部材（１）の下方の端縁が固定され、構成部材ないしそのフレームの上方の部分は、次の上方の列内に配置された構成部材の下に位置し、それによって固定されている。【選択図】図６
2008531874.tif 000002
【特許請求の範囲】
【請求項１】
うろこ状に配置された、プレート形状の構成部材（１）からなる屋根被覆体またはファサード被覆体であって、
前記構成部材（１）は各々、少なくとも１つの保持部材（６）を有し、前記保持部材（６）は、前記構成部材（１）の建物に向いた内側（１６）に配置され、
前記構成部材（１）は各々、前記少なくとも１つの保持部材（６）によって、前記保持部材（６）内に設けられた下方へ向かって開放したスリット（２０）が支持部材（２７）をクリップ状に把持することにより、ほぼ水平に配置された前記支持部材（２７）に固定され、
前記少なくとも１つの保持部材（６）は、前記構成部材（１）に、前記構成部材（１）の下方のほぼ水平に配向された端縁（５）に隣接して配置され、かつ前記支持部材（２７）を把持する前記保持部材（６）の前記スリット（２０）は、前記構成部材（１）の前記上方の端面（１２）よりも、前記構成部材の前記下方の端縁（５）に近く配置されるものにおいて、
前記構成部材（１）は、少なくとも１つのプレート部分（２）と、前記プレート部分（２）を少なくとも部分的に包囲するフレーム（３）とからなり、かつ
前記構成部材の内側（１６）からの前記スリット（２０）の間隔は、少なくとも、前記構成部材の前記上方の端面（１２）における前記構成部材（１）の厚みに相当することを特徴とする、
屋根被覆体またはファサード被覆体。
【請求項２】
前記保持部材（６）は、前記フレーム（３）に配置されることを特徴とする、請求項１に記載の屋根被覆体またはファサード被覆体。
【請求項３】
前記保持部材（６）は、前記フレーム（３）と一体的に結合されることを特徴とする、請求項２に記載の屋根被覆体またはファサード被覆体。
【請求項４】
前記フレーム（３）は、プラスチックからなり、かつ好ましくは射出成形方法で形成されることを特徴とする、請求項１から３のいずれか１項に記載の屋根被覆体またはファサード被覆体。
【請求項５】
前記プレート部分（２）は、前記フレーム（３）を前記プレート部分（２）の回りに射出形成することによって、前記フレーム（３）と結合されることを特徴とする、請求項４に記載の屋根被覆体またはファサード被覆体。
【請求項６】
前記支持部材（２７）は、下部構造（４）に固定されたプロフィールバーとして形成され、前記プロフィールバーが前記下部構造（４）から隔たった、上（矢印１８）を向いた脚（２１）を有することを特徴とする、請求項１から５のいずれか１項に記載の屋根被覆体またはファサード被覆体。
【請求項７】
重なり領域内で、前記構成部材（１）の前記下方の端縁（５）の、前記支持部材（２７）を向いた面および／または前記構成部材（１）の前記上方の端縁（１１）の、前記支持部材（２７）とは逆の面が粗面化され、あるいは溝および／またはリブを有することを特徴とする、請求項１から６のいずれか１項に記載の屋根被覆体またはファサード被覆体。
【請求項８】
前記構成部材（１）の各々の側方の端縁（７、８）に、水平に隣接する前記構成部材の対応する部材（３１、３０）と密に噛合する部材（３０、３１）が形成されることを特徴とする、請求項１から７のいずれか１項に記載の屋根被覆体またはファサード被覆体。
【請求項９】
前記フレーム（３）は、前記下方の端縁（５）において、前記プレート部分（２）の平面に対して垂直に前記プレート部分（２）を越えて突出しないことを特徴とする、請求項１から８のいずれか１項に記載の屋根被覆体またはファサード被覆体。
【請求項１０】
前記構成部材（１）は、その裏側に、不燃性の材料からなる平面的な部材（２２）を有することを特徴とする、請求項１から９のいずれか１項に記載の屋根被覆体またはファサード被覆体。
【請求項１１】
前記プレート部分（２）の少なくとも一部は、光起電性の部材として形成され、あるいはそれを有することを特徴とする、請求項１から１０のいずれか１項に記載の屋根被覆体またはファサード被覆体。
【請求項１２】
前記構成部材（１）の前記上方の端縁（１１）における前記フレーム（３）の幅および前記支持部材（２７）との間の間隔は、上に隣接する前記構成部材（１）の前記下方の端縁（５）が、前記光起電性の部材を越えて突出せず、あるいは前記光起電性の部材の垂直の長さの最大で５％だけ越えて突出するように、選択されることを特徴とする、請求項１１に記載の屋根被覆体またはファサード被覆体。
【請求項１３】
前記構成部材の前記上方の端縁（１１）内に、少なくとも１つの電気的な接続箇所（１９）が配置され、前記接続箇所は、好ましくは前記上方の端縁（１１）の端面（１２）から接近できることを特徴とする、請求項１１または１２に記載の屋根被覆体またはファサード被覆体。
【請求項１４】
前記光起電性部材は、前記プレート部分（２）の内側に配置され、
前記フレーム（３）は、前記光起電性部材の水密のカプセルを形成するように形成され、かつ
前記プレート部分（２）の外側は、水密であることを特徴とする、請求項１１から１３のいずれか１項に記載の屋根被覆体またはファサード被覆体。
【発明の詳細な説明】
【技術分野】
【０００１】
本発明は、うろこ状に配置されたプレート形状の構成部品からなる屋根被覆体またはファサード被覆体に関し、その場合に各構成部材は、構成部材の建物へ向いた内側に配置された少なくとも１つの保持部材を有しており、その場合に保持部材内に設けられた、下方へ向かって開放するスリットが支持部材をクリップ状に把持することによって、各構成部材が少なくとも１つの保持部材によってほぼ水平に配置されている支持部材に固定されており、その場合に少なくとも１つの保持部材が構成部材に、その構成部材のほぼ水平に配向された端縁に隣接して配置されており、かつ保持部材の、支持部材を把持するスリットが、構成部材の上方の端面よりもこの下方の端縁に近く位置している、屋根またはファサードの被覆体に関する。
【背景技術】
【０００２】
既知の構成部材、たとえば屋根瓦は、それを屋根の野地板に固定するために上端縁に下方へ突出する突片を有している。側方には溝とウェブが設けられており、それらが右および左に隣接する部材と共に雨水または雪解け水の侵入に対するラビリンスシールを形成する。屋根またはファサードが、瓦の代わりにフラットなプレート形状の構成部材で覆われる場合には、これらは水平方向に重なり合わなければならず（たとえば、変位された、こけら葺き配置）あるいは水平方向にシールする装置が設けられなければならず、かつたとえば、下部構造に固定されたフックまたは保持ブラケットによって固定されており、それが構成部材の下方の端縁を把持して、従って建物に固定する。種々の方向にシールする措置も必要である。
【０００３】
国際公開００／０２２５６Ａ１号パンフレットは、これに関して、アルミニウム押出しプロフィールを使用する方法を示しており、そのアルミニウム押出しプロフィールが好ましくは矩形のプレート形状の構成部品のすべてのエッジに固定されており、その場合に構成部品が光起電性の部材を有している。これが、右と左の端縁において、隣接する構成部品と共にシールを形成し、垂直方向においては重なりによってシールされ、かつ構成部品が下エッジにおいて、屋根の野地板にねじ止めされたフックによって固定される。この方法は、たとえば、その場合にフックは構成部品を設置する前に野地板にねじ止めされなければならず、かつ光起電性の部材の電気的接続は、建物に向いた内側において行われなければならない、という欠点を有している。さらに美的な理由から、アルミニウムフレームは、しばしば好ましくないと感じられる。
【０００４】
日本特許出願２００３−２７６０４２Ａ号明細書および日本特許出願平１１−０６８１３６Ａ号明細書は、プラスチック射出成形品からなるフレームによって完全に包囲された、ガラス板を有するソーラーモジュールを述べており、その場合には射出成形方法自体とソーラーモジュールの端縁のシール、ないしはこのように取り巻かれたソーラーモジュールの、種々の特殊部品による複雑な種類の支柱および梁の構造における組立てが問題である。従って、建物との簡単な結合の課題は、解決されずに残っており、かつこのようにして生じるソーラーモジュールは、その自らの構造によって個々のソーラーモジュール間でシールするには、適していない。射出成形方法においてガラス板を取り付けることは、特に自動車の窓においては従来技術であって、従ってこの特許出願の対象ではない。
【０００５】
たとえば独国特許出願１９９２１０４４Ａ１号明細書に記載されているような、ソーラーモジュールのようなプレート形状の構成部材を固定するための他の解決方法も、支持構造を使用しており、その支持構造は折り畳みと重なりを介して直接標準屋根瓦に接続することができる。この支持構造は、一般に、複数の屋根瓦に相当する幅を有している。この支持構造上にプレート形状の構成部材が固定され、かつこの支持構造がその外側において屋根野地板に固定される。これは、エレガントな解決方法を表しているが、各タイプの屋根瓦のために他の支持構造を形成しなければならない、という欠点を有している。さらに、関連する要請に応じて十分に確実に固定されるようにするために、構成部材が野地板にねじ止めされなければならない。
【０００６】
欧州特許出願第１３６２９６７Ａ１号明細書は、うろこ状に重なり合って配置されたプレート形状の構成部品を示しているが、この構成部品は、構成部品自体に内蔵された、個々の構成部材の間を水平方向にシールするための装置を有していない。構成部材に取り付けられる保持部材ではなく、野地板にねじ止めされた保持ブラケットの形状の保持部材が設けられており、それが構成部材間の重なりゾーンを通して延びて、上にある構成部材の下方の端縁を固定する。これは、構成部材の組立てに先立って、水平方向に構成部材をシールするためのプロフィールレールを設けなければならないだけでなく、保持部材も野地板に固定しなければならない、という欠点を有している。
【０００７】
独国公開公報第３９２９８００Ａ１号明細書は、屋根被覆プレートを固定する装置に関する、該当する屋根板を雨樋側の端部において特に確実に押さえて固定する固定手段が記載されている。屋根被覆プレートは、その下側に固定突出部を有しており、その固定突出部に、雨樋側の端部の方向に開放したスリットが設けられている。このスリット内へ、屋根構造に固定されたフランジが嵌入する。屋根被覆プレートの下方へ突出する端部領域が、後続の屋根被覆プレートに重なって、それによって端部領域を屋根構造に係止する。同様な装置が、独国公報第３７１３３２０Ａ１号明細書と仏国公報第２８０９４３１Ａ１号明細書に開示されている。これら３つのシステムは、フランジを支持するプロフィールを次のように、すなわち上述したスリット内へ嵌入するフランジが、少なくとも屋根被覆プレートの厚みだけ、上述したフランジと対向する他の屋根被覆プレート（この上に後続の屋根被覆プレートの上方の端縁が載置される）よりもさらに遠くにあるように、段付きにされなければならない、という共通の欠点を有している。従って、屋根被覆プレートの厚みとプロフィールの寸法が互いに合っていることが、必要である。屋根被覆プレートが光起電性の部材を有する場合に、その電気的接続端は屋根被覆プレートの上に位置する端面に配置することはできない。というのは、この端面がプロフィールによって覆われているからである。そして、段付きのプロフィールであるために、たとえば金属薄板からなる、屋根被覆体の側方の端縁閉鎖を形成することは、困難である。
【発明の開示】
【発明が解決しようとする課題】
【０００８】
この従来技術に基づいて、本発明の課題は、損傷に対して保護されており、簡単な構造を有し、極めて簡単に組み立てられ、かつ特殊な段付きプロフィールを必要としない、屋根被覆体またはファサード被覆体を提案することである。
【課題を解決するための手段】
【０００９】
この課題は、本発明によれば、構成部材が、少なくとも１つのプレート部分とプレート部分を少なくとも部分的に包囲するフレームとからなり、かつ構成部材の内側からのスリットの間隔が、少なくとも構成部材の上の端面の厚みに相当することによって、解決される。
【００１０】
フレームによって、各構成部材はエッジの回りを機械的な損傷から保護される。その場合に、構成部材の下半分にある保持部材の位置によって、主としてその下方の端縁が固定される。構成部材ないしそのフレームの上方の部分は、次の上の列内に配置されている構成部材の下にある。従って垂直方向においては重なりによって、ほこり、汚れ、雪、雨水および雪解け水の侵入に対するシールが形成される。同時に、下に位置する構成部材の上のエッジが、Ｗｉｎｓｏｒ（表面における風の流れによる力作用）に対して保護される。従って、たとえばボルトを用いて、下部構造に固定される保持部材を省くことができ、その保持部材は、うろこ状に配置された構成部材の下方の端縁を固定するために構成部材の間で重なりゾーンを通して案内されなければならないものである。これが、この箇所において、構成部材の間に著しい間隙をもたらし、あるいは保持部材を挿通させるために該当する箇所の特殊な造形をもたらす。間隙をシールし、あるいは造形を設けることは、付加的な手間とコストを意味する。構成部材からのスリットの間隔が、下に隣接する構成部材の上方の端縁が支持部材の、スリットが作用するのと同じ平面に載置されることを可能にする。従って、従来技術から知られた装置の場合のように、支持部材として特殊な段付きのプロフィールが必要とされない。構成部材の上方の端面が従来の構造のようにプロフィールの壁によって覆われず接近できるままであるので、構成部材が光起電性の部材を有する場合に、これが、そこに電気的な接続箇所を配置することができるという付加的な利点をもたらす。
【００１１】
ある実施形態によれば、保持部材はフレームに配置されており、かつ好ましくはフレームと一体的に結合されている。これが、支持部材への力伝達を支援し、その場合にプレート部材は直接負荷を受けない。
【００１２】
他の実施形態に従って、フレームがプラスチックからなり、好ましくは射出成形方法で形成されている場合に、大量の個数で安価な形成が容易になる。構成部材を形成する場合の他の簡略化は、ある実施形態によると、プレート部分が、フレームをプレート部分の回りに射出形成することによってフレームと結合されている場合に得られる。
【００１３】
さらに他の実施形態によれば、支持部材は下部構造上に固定されたプロフィールバーとして形成されており、そのプロフィールバーは下部構造から隔たった、上を向いた脚を有している。下部構造からの間隔によって、上述した脚は支持部材の全長上で自由であって、従って下部構造は、構成部材によって与えられるラスタから独立して形成することができる。
【００１４】
他の実施形態によれば、重なり領域内で、構成部材の下方の端縁の支持部材へ向いた面および／または構成部材の上方の端縁の支持部材とは逆の面が粗面化されており、あるいは溝および／またはリブを有している。この措置によって、構成部材の重なり領域における毛管形成が阻止され、それにもかかわらず復水が形成された場合にその復水の流出が可能になる。
【００１５】
他の実施形態によれば、各構成部材の側方の端縁に、水平に隣接する構成部材の対応する部材と密に噛合する部材が形成されている。それによって、ほこり、汚れ、雪、雨および雪解け水の侵入が防止される。
【００１６】
他の実施形態によれば、フレームは下方の端縁において、プレート部分の平面に対して垂直にプレート部分を越えて突出しない。それによって、特に屋根被覆体の場合に、構成部材の下方の端縁に汚れの堆積が形成されることが、防止される。
【００１７】
他の実施形態においては、構成部材はその裏側に、不燃性の材料からなる平面的な部材を有している。この部材は、構成部材が破断した場合に、諸部分が抜け落ちることを阻止し、それはたとえば、該当する建物の火災の場合に生じることがある。
【００１８】
本発明の好ましい実施形態によれば、プレート部分の少なくとも一部が光起電性の部材として形成されており、あるいはそれを有している。フレームによって、光起電性の部材は効果的な方法で機械的な負荷とそれに伴う損傷から保護されている。
【００１９】
他の実施形態によれば、構成部材の上方の端縁におけるフレームの幅および支持部材との間の間隔は、上に隣接する構成部材の下方の端縁が、光起電性の部材を越えて突出せず、あるいは光起電性の構成部材の、垂直の長さの最大で５％だけ突出するように、選択されている。それによって上述した構成部材の陰になることにより、発電における損失が回避され、あるいは最小限に抑えられる。
【００２０】
ある実施形態によれば、構成部材の上方の端縁内に、少なくとも１つの電気的な接続箇所が配置されており、その接続箇所は好ましくは上方の端縁の端面から接近できる。それによって、これまで少なくとも一般的であった構成部材の接近しにくい内側の代わりに、上方の端縁において、すでに設置されている構成部材の電気的な配線も可能である。
【００２１】
他の実施形態によれば、光起電性の部材はプレート部分の内側に配置されており、かつフレームは、光起電性部材の水密のカプセルを形成するように、形成されており、かつプレート部分の外側は水密である。
【発明を実施するための最良の形態】
【００２２】
以下、添付の図面を参照しながら、本発明の具体的な実施形態の例を詳細に説明する。
【００２３】
図１は、冒頭で挙げた欧州特許出願第１３６２９６７Ａ１号明細書から知られているような、フラットなプレート形状の構成部材１を有する装置を斜視図で示している。互いに上下に配置された、うろこ状に重なり合うフラットなプレート形状の構成部材１の並べて配置された列が、屋根またはファサードの被覆体を形成する。各構成部材１は、フックとして形成された２つの保持部材６によって、屋根野地板として形成された支持部材２７に保持されるが、その場合に保持部材６は構成部材１に固定的に配置されていない。保持部材６は、構成部材１の間の重なりゾーン１５を通り抜けて、上方に位置する構成部材をその下方の端縁において固定する。これは、構成部材１の取り付けに先立って、水平方向において構成部材をシールするためのプロフィールレール２６が設置されなければならないだけでなく、保持部材も野地板として形成された支持部材２７に固定されなければならない、という欠点を有している。
【００２４】
図面の図２は、本発明に基づく構成部材１によって覆われた、屋根の一部を上から斜視図で示している。構成部材１は、光起電性の部材を有することができる。構成部材１は、垂直方向に重なって、従ってうろこ状に、列をなして配置されている。構成部材１は、内蔵された保持部材６（図４から６）を用いて、ほぼ水平に配置された支持部材２７に保持される。支持部材は、従来の下部構造４上に配置されている。水平方向において、構成部材１は、図７を用いて後でさらに詳細に説明するように、２つの並べて配置された構成部材１のフレーム３の構造が互いに噛合して、それによってシールを形成するように形成され、かつ配置されている。上述したフレーム３は、図４、６および７を用いて詳細に説明される。
【００２５】
図３は、構成部材１の外側２３を、すなわち構成部材１を取り付けた状態において該当する建物とは逆の側を、斜視図で示しており、図４は、構成部材１の内側１６を斜視図で示している。この特殊な実施形態において、構成部材１のプレート部分２に射出成形方法を用いてプラスチックからなるフレーム３が射出形成されている。このフレーム３は、プレート部分２をそのエッジにおいて包囲しており、かつその内側も外側もところどころ覆っている。所定の適用において、たとえばプレート部分２が内側においてカプセル化されない光起電性部材として形成されている場合に、フレーム３はプレート部分２の内側１６全体を覆うこともできる。フレーム３は、該当する建物の火災の場合に構成部材１の、特にプレート部分２の諸部分が、プレート部分２が割れた場合に抜け落ちるのを防止するために、たとえばスチールワイヤネットまたはガラス繊維ネットのような、不燃性の平面的な部材２２を有することができる。矢印１８は、構成部材１が設置された場合の上向き方向を示している。
【００２６】
特殊な実施形態において、２つの保持部材１が構成部材１ないしそのフレーム３と結合されている。これらは、構成部材１のプレート部分２の内側に直接取り付けることもできる。もちろん、それぞれ構成部材１の形状と大きさに応じて、唯一の保持部材６を設けることも、２つより多い保持部材を設けることもできる。これらの保持部材６は、たとえば、別体の部品であり、鋳造形成された部品であり（図１１）、あるいは他の方法で構成部材に固定された部品であり、射出成形品だけからなり、あるいはその組合せからなることができる。その位置は、取り付けられた構成部材１の、その内側１６の下半分にある。内側のずっと上には、受け面１７が見られ、その受け面によって取り付けられた構成部材１が支持部材２７（図５）上に載置され、その支持部材は、図６を用いて後でさらに詳細に説明するように、たとえばプロフィールレールとして形成することができる。右の端縁７と左の端縁８に、次の添接する構成部材に対するシール手段が一体化されており、それが図７に詳細に示されている。
【００２７】
図４に示すフレーム３は、プレート部分２のエッジを４つの側全部において包囲している。それによって、プレート部分２が光起電性の部材として形成され、あるいはそれを有している場合に、このプレート部分２の端縁が、いずれにしても設けられているシール手段に加えて、このフレーム３によって侵入する水分に対して保護される。しかし、図示されている実施形態においては、フレーム３は構成部材１の下方の端縁５においてはプレート形状の構成部材の外側２３の平面に対して突出しておらず、従って水が自由に流出することができ、かつ汚れの堆積が回避される（図６を参照）ことが、考慮されている。
【００２８】
図５は、屋根の上の構成部材１の配置を側面図で示している。下部構造４上にほぼ水平に延びる支持部材２７が配置されており、その上に構成部材１が直接載置されて、保持部材６によって固定される。支持部材２７の形態については、図６との関連においてさらに詳細に触れる。構成部材１は、構成部材１の下方の端縁５が隣接する構成部材１の上方の端面１２に重なるように、うろこ状に設置されている。
【００２９】
図６は、図５に付番１５で示された重なりゾーンを、図５に比較して拡大された寸法で示している。下部構造４は、たとえば、従来の垂木またはカウンター野地板からなることができ、その上に支持部材２７がほぼ水平に配置されて、固定されている。（図示されていない）ファサード被覆体の場合には、下部構造４は、たとえばカウンター野地板によって形成することができる。図６は、この形態において支持部材２７が二重Ｔ字プロフィールを有するプロフィールレールとして形成されていることを、明確に示している。二重Ｔ字プロフィールの代わりに、支持部材２７は、他の断面形状、たとえばＵ字形状を有することもできる。重要なことは、支持部材２７が矢印１８の方向に上を向いた自由脚２１を有することだけであって、その自由脚に以下で説明するように保持部材６が作用することができ、かつその自由脚は、下方に隣接する構成部材１がその受け面１７によってそれに添接するのに、すでに十分である。各保持部材６は、ベース部分２８によって構成部材１に配置されている。ベース部分２８は、たとえば、図４に示すように、フレーム３と結合することができ、その場合に好ましくは、保持部材全体がフレーム３と共に一体的に形成されている。ベース部分に連続して、保持部材１はスペーサ部材２９を有しており、かつその端部にスリット２０を有している。保持部材６は、このスリット２０によって、支持部材２７の上述した脚２１を把持して、構成部材１を支持部材から間隔３２に保持する。その場合に間隔３２は、下方に隣接する構成部材１がその上方の端縁１１において、支持部材２７と構成部材１の下方の端縁５との間に位置を占めるように、寸法設計されている。従って支持部材２７は、冒頭で説明した既知の装置におけるように、段付きにする必要はなく、最も簡単な場合においては、フラットプロフィールとして形成することができる。支持部材２７が図示の形態におけるように、二重Ｔ字状のプロフィールとして形成されている場合には、他の利点として、下部構造を構築する場合に、下部構造を形成する部材、たとえば垂木、カウンター野地板の水平の間隔に注意する必要がなくなる。というのは、脚２１が下部構造４から間隔をおいて配置されており、従って下部構造４と保持部材６が支持部材２７において妨げ合わないからである。
【００３０】
さらに、図６から明らかなように、各構成部材１の上方の端面１２は、上に隣接する構成部材１の保持部材６のスリット２０から間隔１３だけ離れており、その場合にこの間隔１３は、保持部材６のスリット２０の深さ１４よりも大きい。その結果、このようにして組み込まれた各構成部材１は、隣接する構成部材１をそっくり取り外す必要なしに、いつでもまた取り外して、たとえば交換することができる。これは、屋根またはファサードの修理目的あるいは拡張のために、必要になる場合がある。取り外すために、構成部材１は、その保持部材６のスリット２０がもはや支持部材２７の脚２１に懸架されなくなるまでの間隔、上方へ向かって（矢印１８）スライドされる。さらにこの形態の構造は、最初に取り付ける場合に構成部材１をその順序において矢印１８の方向に、上から下へ向かっても、下から上へ向かっても設置することができる、という利点を有している。
【００３１】
構成部材１ないしそのフレーム３の、上と下の２つの構成部材の間の重なりゾーン１５内に位置する領域は、図６に示唆されるように、粗面化されており、あるいは溝を有する。それによって、そこで外側に存在している雨水などが毛管現象によって、いずれにせよ既存の組立て技術および製造技術に基づく不正確さによってもたらされる間隙が極めて小さいものであっても、それを通して侵入することが、防止される。それにもかかわらず、この特殊な形態は、構成部材の内側に場合によっては集まる復水の流出が可能であることを、保証する。図４に関連して上述した受け面１７が、構成部材１の良好な後方通気を保証し、かつ支持部材２７および下部構造４に対する構成部材の然るべき間隔によって、たとえばジョイントプレートを用いて、従来の構成材料に簡単に接続することを可能にする。さらに、受け面１７が構成部材を従来の屋根瓦と同一の厚みおよび同一の平面に位置させる。
【００３２】
図７は、隣接して配置された２つの構成部材９と１０の一部を横断面で示している。図から明確に認識されるように、右に配置された構成部材９の左の端縁８には、下方へ向けられた長手リブ３０が、左に配置された構成部材１０の右の端縁７には、上へ向けられた長手リブ３１が配置されている。これらの長手リブ３０、３１が互いに噛合して、ラビリンスシールを形成する。
【００３３】
上述した実施形態においては、極めて一般的に、主としてフラットなプレート形状の構成部材１が述べられている。特に好ましくは、この構成部材１のプレート部分２は光起電性構成部材を有することができ、あるいはそれとして形成することができる。この構成部材１は、そのままで、適当な下部構造の固定箇所に、光起電性の部材の効率をできるだけ低い温度によって高めるために、好ましくは後方通気されて、取り付けることができる。この種の構成部材は、発電の他に、屋根瓦、スレート、繊維セメントプレート、セラミックプレートのような、天候に耐える屋根外皮またはファサード外皮の機能を有している。上述した、本発明に基づく構成部材１は、様々な光起電性部材を使用するのに、適している。たとえば、様々な構造、大きさおよび色の、単結晶のソーラーセル、多結晶のソーラーセルも、薄層ソーラーセル（アモルファス、ナノ結晶、マイクロ結晶、ＣＩＳなど）も使用することができる。
【００３４】
本発明に基づく構成部材は、さらに、構成部品として、たとえば透明ガラスと曇りガラス／箔ラミネート、ガラス／ガラスラミネートおよび鋳造樹脂などの、様々な構造の光起電性モジュールも可能にする。さらに、たとえば煙突、天窓、換気パイプの取巻きを実現するため、あるいは特に著しく陰になる部分に設置するために、ノーマルなガラス板とブラインドプレートなどを含む構成部材を使用することができる。
【００３５】
この光起電性の構成部材１の取り付けは、簡単かつ迅速であって、従って安価である。普通ではない下部構造を必要としないので、すなわちほぼ従来の下部構造４の上にプロフィールレール２７が取り付けられるだけなので、従来の屋根外皮とファサード外皮の訓練された専門家によって取り付けを実施することができる。その場合に光起電性の構成部材は、その中に内蔵されている保持部材６を用いてプロフィールレール２７内へ簡単に懸架される。
【００３６】
本発明に基づく個々の光起電性構成部材１の電気的配線は、組立ての際に、好ましくは、該当する構成部材がすでに下部構造に設けられている位置に固定されている場合に、行われる。その場合にはすでに、その電気的接続端に電圧が印加されているので、それによって接触および極性の確実な接続を有する電気的接続システムがもたらされ、従ってこの作業は上で述べた専門家によって実施することができる。必要な電気的集合線、電気的集合ケース、メイン導線、アース線などは、大体において前もって電気の専門家によって設置される。
【００３７】
すでに説明した、本発明に基づく構成部材１と従来の建物被覆材料との両立性の他に、必要な下部構造も従来の下部構造と両立するので、本発明に基づく構成部材１を、たとえば屋根瓦、スレート、繊維セメントプレート、セラミックプレートなどのような、他の屋根被覆体およびファサード被覆体と組み合わせることができ、あるいは後からそれらと代えることができる。
【００３８】
図８は、構成部材１の、取り付けられた状態において上に配置される端面１２に設けられた、図式的に示す電気的接続端１９を有する構成部材１の上方部分の一部を示している。多くの知られているソーラー屋根部材においては、電気的接続は裏側にあって、それが接続を複雑にしている。というのは、それを設置前にまだ固定されていない構成部材において行わなければならないからである。ここに示す、構成部材１の平面における接続端１９の位置決めが、この欠点を回避している。この構成部材１の電気的な接続は、設置直後に行われ、その場合にすでに説明したように、構成部材は下から上へ効果的に設置される。
【００３９】
図９には、フレーム３を用いて裏側で水密にカプセル化された光起電性部材２４を有する構成部材の一部が示されている。その場合に光起電性部材２４は、さらに、たとえばＥＶＡ（エチレン酢酸ビニール）などの、光起電性部材の天候保護には十分水密ではない材料２５に埋め込まれている。
【００４０】
図１０は、図９と同様な部分において、光起電性部材２４の付加的な埋込みなしの場合において、フレーム３による光起電性部材２４の裏側の、水密のカプセル化の形態を示している。
【００４１】
プレート部分２が、上述したように光起電性の部材として形成されており、あるいはそれを有する場合に、図６に示すように、フレーム３が構成部材の上方の端縁１１において、上に隣接する構成部材１の下方の端縁５が光起電性部材を越えて突出しない幅であると、特に効果的である。
【００４２】
図１１は、他の実施形態の保持部材を有する構成部材を、下から斜視図で示している。図から明らかなように、ここでは各保持部材６のベース部分２８とスペーサ部材２９が同一の幅であり、かつ構成部材のフレーム３と一体的に形成されている。その場合にスリット２０は、フレーム３を形成する場合に一緒に形成し、あるいは後からフライスによって形成することができる。
【図面の簡単な説明】
【００４３】
【図１】図１は、従来技術の、フラットなプレート形状の構成部材を有する装置を示している。
【図２】図２は、取り付けられた構成部材を有する屋根の一部を示している。
【図３】図３は、構成部材の外側を示している。
【図４】図４は、構成部材の内側を示している。
【図５】図５は、取り付けられた構成部材の側面図である。
【図６】図６は、重なりゾーンと保持部材を示す部分的な図である。
【図７】図７は、水平方向における構成部材の間の重なりを示す部分的な図である。
【図８】図８は、電気的な接続端を有する構成部材の上方の部分を示す部分的な図である。
【図９】図９は、光起電性部材を水密でない材料によって付加的に埋め込む場合に、フレームを用いて光起電性構成部品の後ろ側を水密にカプセル化する形態を部分的に示している。
【図１０】図１０は、光起電性部品の付加的な埋込みなしの場合において、フレームによる光起電性部材の後ろ側の、水密のカプセル化の形態を部分的に示している。
【図１１】図１１は、保持部材の他の実施形態を有する構成部材を下から示す斜視図である。
【符号の説明】
【００４４】
１    構成部材
２    １のプレート部分
３    １のフレーム
４    下部構造、たとえばカウンター野地板
５    構成部材の下方の端縁
６    保持部材
７    １０の右の端縁
８    ９の左の端縁
９    右に配置された構成部材
１０    左に配置された構成部材
１１    １の上方の端縁
１２    上方の端縁
１３    １２と６ないし２０の間の間隔
１４    スリット深さ
１５    重なりゾーン
１６    構成部材の内側
１７    上方の端縁に設けられた１の受け皿
１８    プレート形状の構成部材の平面内で上へ向かう方向
１９    電気的な接続箇所
２０    スリット
２１    ２７の脚
２２    不燃性材料からなる部材
２３    構成部材の外側
２４    光起電性部材
２５    光起電性部材を埋め込む、一般に非水密の材料
２６    水を逃がすプロフィールレール
２７    支持部材
２８    ６のベース部分
２９    ６のスペーサ部材
３０    ８に設けられた長手リブ
３１    ７に設けられた長手リブ
３２    ２７と３の間の距離
【図１】
2008531874.tif 000003
【図２】
2008531874.tif 000004
【図３】
2008531874.tif 000005
【図４】
2008531874.tif 000006
【図５】
2008531874.tif 000007
【図６】
2008531874.tif 000008
【図７】
2008531874.tif 000009
【図８】
2008531874.tif 000010
【図９】
2008531874.tif 000011
【図１０】
2008531874.tif 000012
【図１１】
2008531874.tif 000013
【国際調査報告】
2008531874.tif 000014
2008531874.tif 000015
2008531874.tif 000016
2008531874.tif 000017
2008531874.tif 000018
2008531874.tif 000019